(57)【要約】【課題】  運転者が普段使用している携帯型パーソナルコンピュータを車室内に着脱自在に設けて車外の家庭や会社等と車室内をシームレスにして使用でき、さらに、携帯型パーソナルコンピュータを車室内に搭載した際の外光反射やフロントウィンドウへの映りこみを防止して視認性の向上を図れるパーソナルコンピュータ車載装置の提供。【解決手段】  パーソナルコンピュータを車両に搭載して使用できるようにするパーソナルコンピュータ車載装置であって、携帯型パーソナルコンピュータ４を車両のインストルメントパネル２内部に着脱自在に設け、前記携帯型パーソナルコンピュータ４の表示面４ｄを、外光反射やフロントウィンドウへの映りこみを避けるように下方に向けた状態で設けて車室内から視認可能とした。【選択図】      図５
2006199209.tif 000002
【特許請求の範囲】
【請求項１】
パーソナルコンピュータを車両に搭載して使用できるようにするパーソナルコンピュータ車載装置であって、
携帯型パーソナルコンピュータを車両のインストルメントパネル内部に着脱自在に設け、
前記携帯型パーソナルコンピュータの表示面を、外光反射やフロントウィンドウへの映りこみを避けるように下方に向けた状態で設けて車室内から視認可能とすることを特徴とするパーソナルコンピュータ車載装置。
【請求項２】
請求項１記載のパーソナルコンピュータ車載装置において、
前記携帯型パーソナルコンピュータの表示面に対して傾斜した状態で反射ミラーを設け、
前記携帯型パーソナルコンピュータの表示面の描画を反射ミラーに反射させて車室内から視認可能とすることを特徴とするパーソナルコンピュータ車載装置。
【請求項３】
請求項１または２記載のパーソナルコンピュータ車載装置において、
前記携帯型パーソナルコンピュータを、インストルメントパネルから車室内へ突出した状態で設けられるフードの底部に着脱自在に設けたことを特徴とするパーソナルコンピュータ車載装置。
【請求項４】
請求項１〜３のうちいずれかに記載のパーソナルコンピュータ車載装置において、
前記フードがメータパネルフードであることを特徴とするパーソナルコンピュータ車載装置。
【請求項５】
請求項１〜４のうちいずれかに記載のパーソナルコンピュータ車載装置において、
前記反射ミラーをハーフミラーとし、
前記反射ミラーのインストルメントパネル内部側に表示装置を設け、該表示装置の描画を前記ハーフミラーに反射させて車室内から視認可能とすることを特徴とするパーソナルコンピュータ車載装置。
【発明の詳細な説明】
【技術分野】
【０００１】
本発明は、パーソナルコンピュータを車両に搭載して使用できるようにするパーソナルコンピュータ車載装置の技術分野に関する。
【背景技術】
【０００２】
従来、携帯電話やＰＤＡ（携帯端末）を車室内に持ち込み、メールやナビの情報を表示面に直接描画している。また、ＰＤＡ専用の設置場所を用意し、ＧＰＳとの接続を行って車外と情報を送受信する技術が公知となっている（特許文献１〜３参照）。
【特許文献１】特開２００２−２３６６３２号公報
【特許文献２】特開２００２−１２７８３４号公報
【特許文献３】特実公平６−１８６５号公報
【発明の開示】
【発明が解決しようとする課題】
【０００３】
しかしながら、特許文献１〜３記載の発明にあっては、ＰＤＡや携帯電話の表示面は非常に小さいため視認性が悪く、一度に表示できる情報量も少ない。
また、表示面がより大きいノート型パーソナルコンピュータを車室内に持ち込んで使用した場合には、車室内に設置スペースがなく使い勝手が非常に悪いという問題点があった。
【０００４】
加えて、前述したＰＤＡ、携帯電話、ノート型パーソナルコンピュータの表示面に外光が反射したり（以下、外光反射と略す）、フロントウィンドウに表示面の描画が映りこむ（以下、フロントウィンドウへの映りこみと略す）虞があり、これらは視認性が悪くなるばかりでなく、運転者の運転の妨げになる虞がある。
【０００５】
本発明は上記課題を解決するためになされたものであって、その目的とするところは、運転者が普段使用している携帯型パーソナルコンピュータを車室内に着脱自在に設けて車外の家庭や会社等と車室内をシームレスにして使用でき、さらに、携帯型パーソナルコンピュータを車室内に搭載した際の外光反射やフロントウィンドウへの映りこみを防止して視認性の向上を図れるパーソナルコンピュータ車載装置を提供することである。
【課題を解決するための手段】
【０００６】
本発明の請求項１記載の発明では、パーソナルコンピュータを車両に搭載して使用できるようにするパーソナルコンピュータ車載装置であって、携帯型パーソナルコンピュータを車両のインストルメントパネル内部に着脱自在に設け、前記携帯型パーソナルコンピュータの表示面を、外光反射やフロントウィンドウへの映りこみを避けるように下方に向けた状態で設けて車室内から視認可能とすることを特徴とする。
【０００７】
請求項２記載の発明では、請求項１記載のパーソナルコンピュータ車載装置において、前記携帯型パーソナルコンピュータの表示面に対して傾斜した状態で反射ミラーを設け、前記携帯型パーソナルコンピュータの表示面の描画を反射ミラーに反射させて車室内から視認可能とすることを特徴とする。
【０００８】
請求項３記載の発明では、請求項１または２記載のパーソナルコンピュータ車載装置において、前記携帯型パーソナルコンピュータを、インストルメントパネルから車室内へ突出した状態で設けられるフードの底部に着脱自在に設けたことを特徴とする。
【０００９】
請求項４記載の発明では、請求項１〜３のうちいずれかに記載のパーソナルコンピュータ車載装置において、前記フードがメータパネルフードであることを特徴とする。
【００１０】
請求項５記載の発明では、請求項１〜４のうちいずれかに記載のパーソナルコンピュータ車載装置において、前記反射ミラーをハーフミラーとし、前記反射ミラーのインストルメントパネル内部側に表示装置を設け、該表示装置の描画を前記ハーフミラーに反射させて車室内から視認可能とすることを特徴とする。
【発明の効果】
【００１１】
請求項１記載の発明にあっては、携帯型パーソナルコンピュータを車両のインストルメントパネル内部に着脱自在に設けため、車外の家庭や会社等と車室内をシームレスにして大量の情報を運転者に同時に提供でき、使い勝手の良いパーソナルコンピュータ車載装置を実現できる。
【００１２】
また、前記携帯型パーソナルコンピュータの表示面を、外光反射やフロントウィンドウへの映りこみを避けるように下方に向けた状態で設けて視認可能としたため、表示面の視認性を従来の発明に比べて大幅に向上できる。
【００１３】
請求項２記載の発明にあっては、携帯型パーソナルコンピュータの表示面に対して傾斜した状態で反射ミラーを設け、前記携帯型パーソナルコンピュータの表示面の描画を反射ミラーに反射させて表示することとしたため、省スペースで携帯型パーソナルコンピュータをインストルメントパネル内に設置できる。
【００１４】
また、反射ミラーのインストルメントパネル内部側の空間を有効利用できる。
【００１５】
請求項３記載の発明にあっては、携帯型パーソナルコンピュータを、インストルメントパネルから車室内へ突出した状態で設けられるフードの底部に着脱自在に設けたため、該フードで外光反射やフロントウィンドウへの映りこみを低減させることができる。
【００１６】
請求項４記載の発明では、フードがメータパネルフードであるため、フードと携帯型パーソナルコンピュータを共用化することで、表示面のサイズに合わせたフードを提供することが可能になり、結果、表示面のサイズ毎の専用造形をもつインストルメントパネルを製造する必要がなく、製造コストのダウンが図れる。
【００１７】
また、通常、運転席から最も視認性に優れ、且つ近い位置に配置されるメータパネルのフードの底部に携帯型パーソナルコンピュータを設けることができ、該携帯型パーソナルコンピュータの脱着を容易に行えると同時に、運転者は無理な姿勢をすることなく表示面の描画を見て様々な情報を得ることができる。
【００１８】
請求項５記載の発明にあっては、反射ミラーをハーフミラーとし、前記反射ミラーのインストルメントパネル内部側に表示装置を設け、該表示装置の描画を前記ハーフミラーに反射させて車室内から視認可能とするため、ハーフミラーに携帯型パーソナルコンピュータの表示面の描画と、表示装置の描画を同時または使い分けて表示することができ、様々な情報をハーフミラーに表示させて運転者に提供できる。
【発明を実施するための最良の形態】
【００１９】
以下、この発明の実施例を図面に基づいて説明する。
【実施例１】
【００２０】
以下、実施例１を説明する。
図１は本発明の実施例１のパーソナルコンピュータ車載装置を説明する図、図２は家庭や会社での携帯型パーソナルコンピュータを示す斜視図、図３は持ち運ぶ際の携帯型パーソナルコンピュータを示す斜視図、図４は車室内に搭載する際の携帯型パーソナルコンピュータを示す斜視図である。
図５は本発明の実施例１のパーソナルコンピュータ車載装置のシステム構成図である。
【００２１】
先ず、全体構成を説明する。
図１に示すように、本実施例のパーソナルコンピュータ車載装置は、車室内１内に設けられるインストルメントパネル２と、メータパネルフード３と、携帯型パーソナルコンピュータ４を主要な構成としている。
なお、５はフロントウィンドウ、６はルーフを示す。
【００２２】
前記インストルメントパネル２の中央または運転席側には、車室内部側に突出した状態でインストルメントパネル２と一体的に形成されたメータパネルフード３が設けられている。
【００２３】
また、前記メータパネルフード３の底部には、後述する携帯型パーソナルコンピュータ４を着脱自在に固定する固定部（図示せず）が設けられている。
【００２４】
図２に示すように、前記携帯型パーソナルコンピュータ４は、可搬性に優れる所謂ノート型パソコンやタブレット型パソコンであり、互いに略同じ外形を有する表示部４ａと本体部４ｂとがヒンジ部４ｃで矢印Ａ方向及び矢印Ｂ方向に折り畳み自在に連結固定されている。
具体的には、前記携帯型パーソナルコンピュータ４を持ち運ぶ場合には、図３に示すように、表示部４ａの表示面４ｄと本体部４ｂのキーボード４ｅを合わせるように図２の矢印Ａ方向に折り畳んで持ち運びできるようになっている。
また、前記携帯型パーソナルコンピュータ４を車室内で使用する場合には、図４に示すように、表示部４ａと本体部４ｂとを図２の矢印Ｂ方向に折り畳んで表示面２を表側下面にした状態で使用できるようになっている。
【００２５】
また、前記携帯型パーソナルコンピュータ４には前記メータパネルフード３の底部の固定部と脱着可能な固定部（図示せず）が設けられ、これにより携帯型パーソナルコンピュータ４は、図４で説明したように表示面４ｄを下方に向けた状態でメータパネルフード３の底部に着脱自在に固定可能となっている。
【００２６】
さらに、図５に示すように、前記携帯型パーソナルコンピュータ４は、ＵＳＢポートなどの外部入出力端子１０を備えており、インストルメントパネル２に設けられたインターフェイス１１を介してＣＡＮ（コントローラ・エリア・ネットワーク）のネットワークケーブル１２によってＥＣＵ１３（エンジンコントロールユニット）や車速センサや燃料センサ等の各種センサ１４に接続されている。
【００２７】
また、前記携帯型パーソナルコンピュータ４は、通信回線接続端子１５を備えており、携帯電話やモデムなどの通信端末１６を介してインターネットや電子メールなどの情報を送受信可能になっている。
【００２８】
また、前記メータパネルフード３の基端側には、前記携帯型パーソナルコンピュータ４の表示面４ｄと所定の角度α（本実施例では４５°）を成した状態で板状の反射ミラー８が設けられている。
【００２９】
次に、作用を説明する。
このように構成されたパーソナルコンピュータ車載装置を使用する際は、図２で説明したように、家庭や車室内では携帯型パーソナルコンピュータ４を使用し、図３で説明したように、表示面４ｄとキーボード４ｅを合わせて折り畳んだ状態で持ち運ぶことができる。
【００３０】
携帯型パーソナルコンピュータ４を車室内で使用する際には、図４で説明したように、表示面４ｄを表側下面となるように折り畳んだ状態でメータパネルフード３の底部に挿入して固定する他、外部入出力端子１０や通信回線接続端子１５を車両側に接続する。
【００３１】
このようにして車室内に搭載された携帯型パーソナルコンピュータ４は、図１に示すように、携帯型パーソナルコンピュータ４の表示面４ｄと反射ミラー８が所定の角度（本実施例では４５°）を成して傾斜した状態で配置され、表示面４ｄの描画９（二点鎖線矢印で図示）が反射ミラー８に反射して運転者の目１７に入るようになっている。
【００３２】
即ち、運転者は反射ミラー８に写る虚像１８を見ることとなる。
【００３３】
また、フロントウィンドウ５を介して車室内１に入射した外光１９（破線矢印で図示）は、メータパネルフード３に遮断されるため、描画９の良好な視認性を確保できる。
【００３４】
また、反射ミラー８に入射した外光の一部１９ａ（一点鎖線矢印で図示）は、ルーフ６側へ反射するため、フロントウィンドウ５に描画９が映りこんで運転者の運転の妨げになる虞がない。
【００３５】
前記表示面４ｄの描画は、運転者がユーザインタフェイス１１を介して要求することで表示され、例えば、携帯型パーソナルコンピュータ４に記憶された情報は勿論、ＣＡＮで得られるＥＣＵ１３や各種センサ１４による車速や燃料残量等の車両情報、通信端末１６を介したインターネット情報や電子メール情報、通常のメータパネル内に表示される情報などの様々な情報を表示することができる。
【００３６】
なお、携帯型パーソナルコンピュータ４の車両への装着と同時に特定の情報を自動的に表示させても良い。
また、前記運転者の体格や姿勢に対応できるように反射ミラー８の角度を調整できるように構成しても良い。
【００３７】
次に、効果を説明する。
このように構成されたパーソナルコンピュータ車載装置にあっては、携帯型パーソナルコンピュータ４を車両のインストルメントパネル２内部に着脱自在に設け、前記携帯型パーソナルコンピュータ４の表示面４ｄを、外光反射やフロントウィンドウへの映りこみを避けるように下方に向けた状態で設けて車室内から視認可能とするため、表示面４ｄの視認性を従来の発明に比べて大幅に向上できる。
また、表示面４ｄの視認性が向上したことにより、従来の発明に比べて表示面４ｄの輝度を下げることができ、消費電力の低減も可能になる。
【００３８】
また、携帯型パーソナルコンピュータ４の設置場所に困ることがなく、運転者は楽な姿勢で携帯型パーソナルコンピュータ４を使用できる、
【００３９】
また、家庭や会社などで使用する携帯型パーソナルコンピュータ４を直接車載させるので、家庭や会社と通信したり、ＣＤ−ＲＯＭやＭＯ等のメディアを介してデータを移す必要もない。
【００４０】
従って、車外の家庭や会社等と車室内をシームレスにして大量の情報を運転者に同時に提供でき、使い勝手に優れる。
【００４１】
また、携帯型パーソナルコンピュータ４の表示面４ｄと傾斜した状態で反射ミラー８を設け、携帯型パーソナルコンピュータ４の表示面４ｄの描画９を反射ミラー８に反射させて表示することとしたため、省スペースで携帯型パーソナルコンピュータ４をインストルメントパネル２内に設置できる。
【００４２】
また、反射ミラー８のインストルメントパネル２内部側の空間Ｏ（図１の三角形で囲まれた斜線領域）を有効利用でき、ここにエアコン用のダクトや電気配線のハーネスなどの様々な周辺部品を配置することができる。
【００４３】
また、携帯型パーソナルコンピュータ４を、インストルメントパネル２のメータパネルフード３の底部に着脱自在に設けたため、メータパネルフード３と、携帯型パーソナルコンピュータ４を共用化することで、表示面４ｄのサイズに合わせたメータパネルフード３を提供することが可能になり、結果、表示面４ｄのサイズ毎の専用造形をもつインストルメントパネル２を製造する必要がなく、製造コストのダウンが図れる。
【００４４】
さらに、メータパネルは、通常、運転席から最も視認性に優れ、且つ近い位置に配置されるため、メータパネルフード３の底部に携帯型パーソナルコンピュータ４を設けたこにより、携帯型パーソナルコンピュータ４の脱着を容易に行えると同時に、運転者は無理な姿勢をすることなく表示面４ｄの描画９を見て様々な情報を得ることができる。
【実施例２】
【００４５】
以下、実施例２を説明する。
【００４６】
本実施例２のパーソナルコンピュータ車載装置では、前記実施例１で説明した反射ミラーをハーフミラー２０とし、該ハーフミラー２０のインストルメントパネル２内部側に、前記ハーフミラー２０に描画２２を反射させて表示可能な表示装置２１を設けたこと以外は前記実施例１と同様であるため、同一の構成部材については同一の符号を付してその説明は省略し、相違点のみについて詳述する。
【００４７】
図６は本発明の実施例２のパーソナルコンピュータ車載装置を説明する図である。
【００４８】
図６に示すように、本実施例２のパーソナルコンピュータ車載装置では、前記実施例１で説明した反射ミラーの代わりにハーフミラー２０が設けられている。
【００４９】
また、前記ハーフミラー２０のインストルメントパネル２内部側に形成される空間Ｏに、前記ハーフミラー２０に図外の表示面の描画を反射させて表示可能な表示装置２１が設けられている。
具体的には、前記携帯型パーソナルコンピュータ４は、表示面４ｄの描画９をハーフミラー２０に反射させて運転者に表示する一方、表示装置２１は、表示面２２の描画２３をハーフミラー２０に投影させて運転者に表示するようになっている。
【００５０】
前記表示装置２１の表示面の描画２２は、車両情報を表示させるようにすることが好ましいが、例えば、携帯型パーソナルコンピュータ４に何らかの不具合が生じて表示面４ｄに描画９が表示されない場合に、携帯型パーソナルコンピュータ４の代わりに表示装置２１で表示させたり、表示装置２１が警告や最低限必要な簡素な情報を表示するようにすれば、携帯型パーソナルコンピュータ４のフェイルセーフとして機能する。
【００５１】
従って、本実施例２のパーソナルコンピュータ車載装置では、ハーフミラー２０に携帯型パーソナルコンピュータ４の表示面４ｄの描画９と、表示装置２１の表示面２２の描画２３を同時または使い分けて表示することができ、様々な情報を運転者に提供できる。
【００５２】
以上、本実施例を説明してきたが、本発明は上述の実施例に限られるものではなく、本発明の要旨を逸脱しない範囲の設計変更等があっても、本発明に含まれる。
例えば、本実施例ではメータパネルフード３の底部に携帯型パーソナルコンピュータ４を着脱可能に設けた場合について説明したが、メータパネルフード３とは別体でインストルメントパネル２に車室内１側へ突出した同様のフードを形成し、ここに本実施例で説明した携帯型パーソナルコンピュータ４を設けることは当然考えられる。
【００５３】
また、携帯型パーソナルコンピュータ４の表示面の全面を反射ミラー８（ハーフミラー２０）を介して運転者に表示する必要はないし、描画９（描画２３）の内容は適宜選択して決定できる。
【００５４】
さらに、空間Ｏに設置されるものは適宜設定できるが、メータパネルは携帯型パーソナルコンピュータ４に兼用させることが好ましい。
また、本実施例２で説明した表示装置２１のその他の例としては、例えば、従来のナビゲーションユニット、ＴＶユニット、音楽ユニット等でも良く、これらの描画と携帯型パーソナルコンピュータ４の表示面４ｄの描画９を同時または使い分けてハーフミラー２０に表示しても良い。
【図面の簡単な説明】
【００５５】
【図１】本発明の実施例１のパーソナルコンピュータ車載装置を説明する図である。
【図２】家庭や会社での携帯型パーソナルコンピュータを示す斜視図である。
【図３】持ち運ぶ際の携帯型パーソナルコンピュータを示す斜視図である。
【図４】車室内に搭載する際の携帯型パーソナルコンピュータを示す斜視図である。
【図５】本発明の実施例１のパーソナルコンピュータ車載装置のシステム構成図である。
【図６】本発明の実施例２のパーソナルコンピュータ車載装置を説明する図である。
【符号の説明】
【００５６】
１  車室内
２  インストルメントパネル
３  メータパネルフード
４  携帯型パーソナルコンピュータ
４ａ  表示部
４ｂ  本体部
４ｃ  ヒンジ部
４ｄ  表示面
４ｅ  キーボード
５  フロントウィンドウ
６  ルーフ
８  反射ミラー
１０  外部入出力端子
１１  インターフェイス
１２  ネットワークケーブル
１３  ＥＣＵ
１４  各種センサ
１５  通信回線接続端子
１６  通信端末
１７  運転者の目
１８  虚像
１９  外光
１９ａ  外光の一部
２０  ハーフミラー
２１  表示装置
２２  描画
【図１】
2006199209.tif 000003
【図２】
2006199209.tif 000004
【図３】
2006199209.tif 000005
【図４】
2006199209.tif 000006
【図５】
2006199209.tif 000007
【図６】
2006199209.tif 000008